(57)【要約】【課題】作業の簡素化や効率化、部材点数の削減が図られる梁と根太の接続構造と、前記接続構造を有する床を備えた建物を提供する。【解決手段】本発明の梁と根太の接続構造は、上フランジ１２を有する梁１と、上フランジ１２の上面に載置されると共に上面に板材５が載置される金属根太３と、上フランジ１２の上面に載置されると共に上面に板材５が載置される木根太４と、を備える。また、前記接続構造を有する床を備えた建物である。【選択図】図７
2014047603.tif 000002
【特許請求の範囲】
【請求項１】
梁と、
前記梁の上面に載置されると共に上面に板材が載置される金属根太と、
前記梁の上面に載置されると共に上面に板材が載置される木根太と、
を備えて成ることを特徴とする梁と根太の接続構造。
【請求項２】
前記梁がウェブと上フランジと下フランジとを有するＨ型鋼で形成され、
前記上フランジの前記ウェブが接続されている部分を挟んだ両側のうちの一方側の上面が、一根太の端部が載置される載置面となり、
前記上フランジの前記ウェブが接続されている部分を挟んだ両側のうちの他方側の上面が、前記一根太とは別の他の根太の端部が載置される載置面となることを特徴とする請求項１記載の梁と根太の接続構造。
【請求項３】
前記梁が上フランジを有すると共に前記上フランジにボルトが挿通される挿通孔が穿設され、
前記金属根太が中空部材からなりその下片に前記ボルトが螺合する雌ねじを有するボルト固定部が設けられ、
前記木根太の下面に前記ボルトが螺合する雌ねじを有するボルト固定部が埋設され、
前記ボルトが前記上フランジに穿設された前記挿通孔を挿通して該上フランジの上面に載置された前記金属根太の前記ボルト固定部に螺着され、
前記ボルトが前記上フランジに穿設された前記挿通孔を挿通して該上フランジの上面に載置された前記木根太の前記ボルト固定部に螺着されることを特徴とする請求項１又は２記載の梁と根太の接続構造。
【請求項４】
前記金属根太と前記木根太の一方又は両方に前記板材が固定されて床パネルが構成されていることを特徴とする請求項１乃至３のいずれか一項に記載の梁と根太の接続構造。
【請求項５】
請求項１乃至請求項４記載の梁と根太の接続構造を有する床を備えていることを特徴とする建物。
【発明の詳細な説明】
【技術分野】
【０００１】
本発明は、梁と根太の接続構造と、前記接続構造を有する床を備えた建物に関するものである。
【背景技術】
【０００２】
従来より、例えばプレハブ住宅の上階の床におけるような梁と根太の接続構造として、特許文献１に示される、梁（階上の梁材１６）に取付金物（パネル支持金具１７）が固定され、この取付金物の上面に根太（枠材２０）が載置され、根太の上面に板材（面材２１）が載置されるものが知られている。なお、特許文献１記載の発明にあっては枠材２０の上面に面材２１が添着されることで、板材に根太を備える床パネル２が構成されているが、板材および根太はパネル化されていなくてもよい。
【先行技術文献】
【特許文献】
【０００３】
【特許文献１】特開平１０−２３８００２号公報（［００１０］、［００２３］、図２）
【発明の概要】
【発明が解決しようとする課題】
【０００４】
上記従来の梁と根太の接続構造にあっては、梁に根太を接続するにあたり、梁にまず取付金物を取り付けて固定し、この固定した取付金物に根太を載置して固定するものである。このため、取付金物を梁に取り付ける作業を要すると共に、取付金物を要するものであり、作業の手間がかかる上に用いる部材の点数が多いものであった。
【０００５】
また根太は、主として強度および剛性の高い中空の金属根太が用いられているが、現場に応じて切断等の加工が必要となることが多いため、木根太が金属根太と併せて用いられている。しかしながら、上記取付金物は、載置され固定される根太として中空の金属根太を想定しており、木根太の載置・固定には用いられていない。このため、梁への接続が金属根太と木根太とで異なり、作業の効率化が図られないものとなっていた。
【０００６】
本発明は上記従来の問題点に鑑みて発明したものであって、その目的とするところは、
作業の簡素化や効率化、部材点数の削減が図られる梁と根太の接続構造と、前記接続構造を有する床を備えた建物を提供することを課題とするものである。
【課題を解決するための手段】
【０００７】
上記課題を解決するために、請求項１に係る発明は、梁１と、前記梁１の上面に載置されると共に上面に板材５が載置される金属根太３と、前記梁１の上面に載置されると共に上面に板材５が載置される木根太４と、を備えることを特徴とする。
【０００８】
また、請求項２に係る発明は、請求項１に係る発明において、前記梁１がウェブ１１と上フランジ１２と下フランジ１３とを有するＨ型鋼で形成され、前記上フランジ１２の前記ウェブ１１が接続されている部分を挟んだ両側のうちの一方側の上面が、一根太２ａの端部が載置される載置面１５となり、前記上フランジ１２の前記ウェブ１１が接続されている部分を挟んだ両側のうちの他方側の上面が、前記一根太２ａとは別の他の根太２ｂの端部が載置される載置面１６となることを特徴とする。
【０００９】
また、請求項３に係る発明は、請求項１又は２に係る発明において、前記梁１が上フランジ１２を有すると共に前記上フランジ１２にボルト７が挿通される挿通孔１４が穿設され、前記金属根太３が中空部材からなりその下片３１に前記ボルト７が螺合する雌ねじを有するボルト固定部が設けられ、前記木根太４の下面に前記ボルト７が螺合する雌ねじを有するボルト固定部が埋設され、前記ボルト７が前記上フランジ１２に穿設された前記挿通孔１４を挿通して該上フランジ１２の上面に載置された前記金属根太３の前記ボルト固定部に螺着され、前記ボルト７が前記上フランジ１２に穿設された前記挿通孔１４を挿通して該上フランジ１２の上面に載置された前記木根太４の前記ボルト固定部に螺着されることを特徴とする。
【００１０】
また、請求項４に係る発明は、請求項１乃至３のいずれかに係る発明において、前記金属根太３と前記木根太４の一方又は両方に前記板材５が固定されて床パネルＰが構成されていることを特徴とする。
【００１１】
請求項５に係る建物は、請求項１乃至請求項４記載の梁と根太の接続構造を有する床を備えていることを特徴とする。
【発明の効果】
【００１２】
請求項１に係る発明にあっては、作業の簡素化や効率化、部材点数の削減を図ることができる。
【００１３】
請求項２に係る発明にあっては、根太を梁の上面に直接載置する場合でも、一梁に二つの根太を接続することができる。
【００１４】
請求項３に係る発明にあっては、簡単な構成で、梁と根太の固定を強固に且つ確実に行うことができる。
【００１５】
請求項４に係る発明にあっては、現場にて根太に板材を載置固定する必要がなく、作業の簡素化を図ることができる。
【００１６】
請求項５に係る発明にあっては、建物の床の施工において、作業の簡素化や効率化、部材点数の削減を図ることができる。
【図面の簡単な説明】
【００１７】
【図１】本発明の一実施形態における梁の斜視図である。
【図２】同上における金属根太の断面図である。
【図３】同上における木根太の断面図である。
【図４】同上において金属根太を備えた床パネルを梁に載置した状態の斜視図である。
【図５】同上において木根太を備えた床パネルを梁に載置した状態の斜視図である。
【図６】梁に根太（床パネル）が載置された状態の要部断面図である。
【図７】他の実施形態であり、梁に木根太を備えた床パネルと金属根太を備えた床パネルが載置された状態の要部断面図である。
【発明を実施するための形態】
【００１８】
以下、本発明を添付図面に示す実施形態に基いて説明する。
【００１９】
本実施形態においては、梁１と根太２は、プレハブ住宅の上階の床における梁１と根太２として説明する。
【００２０】
梁１は、図１に示すように、本実施形態ではウェブ１１と、ウェブ１１の上下端にそれぞれ上フランジ１２と下フランジ１３とを有するＨ型鋼であるが、Ｃ型のチャンネル材等であってもよく、形状は特に限定されない。また、梁１として鋼材が好適に用いられるが、鋼材の種類は限定されず、また他の金属や複合的な材料であってもよい。梁１は、上フランジ１２が上方に面し下フランジ１３が下方に面する状態で、柱等の構造材に架設される。
【００２１】
本実施形態では、梁１の上フランジ１２に、梁１と根太２とを接続するためのボルト７が挿通される挿通孔１４が穿設される。この挿通孔１４は、上フランジ１２のウェブ１１が接続されている部分を挟んだ両側に、それぞれ穿設されている。そして、上フランジ１２の上面が根太２の載置面となる。
【００２２】
根太２として、本発明においては金属根太３と木根太４とが用いられる。金属根太３は、本実施形態では図２に示すように、断面ロ字状をした中空の鉄材（鋼材）で形成されるものであるが、本発明の金属根太３としては、断面ロ字状をしたものではなく、Ｃ型のチャンネル材等、形状は特に限定されず、また材質も他の金属や複合的な材料であってもよい。この金属根太３の下片３１には、梁１と根太２とを接続するためのボルト７が挿通可能な挿通孔（不図示）が穿設され、下片３１の内面（上面）の前記挿通孔の周囲に、前記ボルト７と螺合する雌ねじを有するボルト固定部（本実施形態ではナット３２）が固定される。なお、本実施形態では下片３１にナット３２を固定してボルト固定部を形成しているが、ナット３２ではなく雌ねじを形成したブロック状の部材を固定したり、下片３１を厚く形成してこの下片３１に雌ねじを形成することで、ボルト固定部を形成してもよい。
【００２３】
木根太４は、本実施形態では図３に示すように、断面略矩形状をした中実の木材又は木質材からなるものである。なお、木根太４の断面形状は矩形状が好ましいが、矩形に限定されるものではなく、上面と下面に水平面を有するものであればよい。この木根太４の下面には、前記ボルト７が螺合する雌ねじを有するボルト固定部（本実施形態では鬼目ナット４１）が埋設される。なお、本実施形態では木根太４の下面に鬼目ナット４１を埋設してボルト固定部を形成しているが、通常のナット３２や、雌ねじを形成されたブロック状の部材を埋設することで、ボルト固定部を形成してもよい。
【００２４】
なお、金属根太３を梁１に接続するのに用いるボルト７は、木根太４を梁１に接続するのに用いるボルト７と異なってもよいが、同じボルト７を使用可能とするのが好ましい。この場合、金属根太３に設けられるボルト固定部の雌ねじの径と、木根太４に設けられるボルト固定部の雌ねじの径とを同一径とする。
【００２５】
これにより、同一径のボルト７を共通して用いることができ、部材の共通化を図ることができる。また、梁１の上フランジ１２に穿設される挿通孔１４も、同一径の共通のボルト７に合わせて穿設すればよく、挿通孔１４の共通化を図ることができ、径が異なる複数種類の挿通孔１４を穿設する必要がない。
【００２６】
金属根太３と木根太４（以下、これらを合わせて単に根太２という）の上面には、図４、図５に示すように、板材５が載置されるもので、本実施形態では板材５として、床板となる木質板が用いられる。板材５は、無垢の木材、パーティクルボードやＭＤＦ（Medium Density Fiberboard）等の木質材、ＡＬＣ（Autoclaved Lightweight Concrete）等のコンクリート等、材質は特に限定されない。また、板材５は床板に限られないものである。
【００２７】
なお、板材５は現場にて根太２に載置されてもよいが、本実施形態では、予め根太２に板材５が固定されてなる床パネルＰが構成されている。図４に、金属根太３を備えた床パネルＰを梁１に載置した状態の斜視図を示し、図５に、木根太４を備えた床パネルＰを梁１に載置した状態の斜視図を示す。金属根太３を備えた床パネルＰの金属根太３の長手方向の長さ３Ｌは、木根太４を備えた床パネルＰの木根太４の長手方向の長さ２Ｌよりも長くとることができる。前記長さのＬはモジュールの一単位であり、例えば９０ｃｍ等、適宜設定される。また、金属根太３を備えた床パネルＰにおける金属根太３の間隔は、木根太４を備えた床パネルＰにおける木根太４の間隔よりも長くとることができる。
【００２８】
次に、梁１への根太２の接続について説明する。
【００２９】
図６に示すように、根太２は、その下面が梁１の上フランジ１２の上面に載置される。金属根太３の場合、下片３１が梁１の上フランジ１２の上面に載置される。そして、下方より、梁１と根太２とを接続するためのボルト７が、上フランジ１２に穿設された挿通孔１４および金属根太３の下片３１に穿設された挿通孔に挿入され、下片３１に固定されたナット３２の雌ねじに螺合され、締結される。
【００３０】
木根太４の場合、下面が梁１の上フランジ１２の上面に載置される。そして、下方より、梁１と根太２とを接続するためのボルト７が、上フランジ１２に穿設された挿通孔１４に挿入され、木根太４の下面に埋設された鬼目ナット４１の雌ねじに螺合され、締結される。
【００３１】
このように、本発明においては、金属根太３を梁１の上面に直接載置し、木根太４も金属根太３と同様に梁１の上面に直接載置することで、従来は必要であった取付金物を使用せずに、梁１に根太２を接続するようにしている。これにより、取付金物を梁１に取り付ける作業を省略することが可能となり、作業の簡素化を図ることができる。また、取付金物を要しないため、用いる部材点数の削減も図ることができるものである。また、従来は異なっていた、金属根太３と木根太４の梁１への接続を同じ要領で行うことが可能となり、作業の効率化を図ることもできるものである。
【００３２】
なお、本発明においては、一梁１に必ずしも金属根太３と木根太４の両方が接続される必要がなく、同様の梁１が複数設けられる一建築物において、いずれかの梁１に金属根太３が設けられるとともに、いずれかの梁１に木根太４が設けられていればよい。これにより、上記効果が得られるものである。
【００３３】
また、梁１にボルト７の挿通孔を穿設し、金属根太３を中空部材で構成してその下片３１にナット３２を固定すると共に、木根太４の下面に鬼目ナット４１を埋設することで、簡単な構成で、梁１と根太２の固定を強固に且つ確実に行うことが可能となるものである。
【００３４】
また、本実施形態では、図６に示すように、上フランジ１２の上面において、ウェブ１１が接続されている部分を挟んだ両側のうちの一方側の部分が、床パネルＰの根太２（一根太２ａとし、金属根太３又は木根太４）の端部が載置される載置面（一載置面１５という。図１参照）となり、ウェブ１１が接続されている部分を挟んだ両側のうちの他方側の部分が、前記一根太２ａとは別の床パネルＰの根太２（他の根太２ｂとし、金属根太３又は木根太４）の端部が載置される載置面（他載置面１６という。図１参照）となっている。そして、一載置面１５に一根太２ａの端部が載置され、この一載置面１５に形成された挿通孔１４を介してボルト７が締結されて、一根太２ａが上フランジ１２に接続される。同様に、他載置面１６に他の根太２ｂの端部が載置され、この他載置面１６に形成された挿通孔１４を介してボルト７が締結されて、他の根太２ｂが上フランジ１２に接続される。なお、図６に示す実施形態においては、床パネルＰの板材５上に床仕上げ材６が載置されている。
【００３５】
これにより、従来は梁１の両側にそれぞれ取付金物を取り付けて、両取付金物にそれぞれ根太２を載置して固定していたところ、本発明のように根太２を梁１の上面に直接載置する場合でも、一梁１に二つの根太２を接続することができる。
【００３６】
更に、従来においては、梁１の両側に取り付けた取付金物に根太２を載置していて、梁１の上方に目板を設置していたところ（特許文献１の［００１３］、［００１４］、図２等参照）、梁１の上面に載置する両方の根太２を突き合わせることで、目板を省略することが可能となる。
【００３７】
また、図７に示す実施形態においては、一根太２ａが木根太４からなると共に、他の根太２ｂが金属根太３からなる。そして、一根太２ａの上フランジ１２に載置される部分に切欠４２が形成されている。このように、木根太４を用い、木根太４に適宜切欠４２を形成することで、例えば床面（板材５の上面）の高さを適宜調整し、異なる床仕上げ材６を載置することができる。
【符号の説明】
【００３８】
１    梁
１１  ウェブ
１２  上フランジ
１３  下フランジ
１４  挿通孔
２    根太
３    金属根太
３１  下片
３２  ナット
４    木根太
４１  鬼目ナット
４２  切欠
５    板材
６    仕上げ材
７    ボルト
Ｐ    床パネル
【図１】
2014047603.tif 000003
【図２】
2014047603.tif 000004
【図３】
2014047603.tif 000005
【図４】
2014047603.tif 000006
【図５】
2014047603.tif 000007
【図６】
2014047603.tif 000008
【図７】
2014047603.tif 000009